【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
被写体を撮影する撮影部と、
撮影者に対して次に撮影すべき被写体の候補に関する情報を抽出するテーマ抽出手段と、
前記撮影部で撮影された画像の特徴を検出する特徴検出手段と、
前記テーマ抽出手段及び特徴検出手段の出力に基づいて修飾された第１のフレーズを作成し、この作成された第１のフレーズを、前記撮影された画像と共に前記撮影者に告知するフレーズ合成手段と、
を具備することを特徴とするカメラ。
【請求項２】
前記フレーズ合成手段は、前記告知された第１のフレーズと撮影時に得られた情報とに基づいて、前記第１のフレーズとは異なる第２のフレーズを作成して告知することを特徴とする請求項１に記載のカメラ。
【請求項３】
撮影時の位置情報を取得する位置取得部と、前記撮影時の時刻情報を取得する時刻検出部、とを更に具備し、
前記テーマ抽出手段は、前記撮影時の位置情報及び時刻情報の少なくとも一方に基づいて、次に撮影すべき被写体の候補に関する情報を抽出することを特徴とする請求項１に記載のカメラ。
【請求項４】
前記位置取得部で取得された撮影時の位置情報及び前記時刻検出部で取得された撮影時の時刻情報の少なくとも一方に基づいて特定の情報を外部機器より取得するための通信部を更に具備することを特徴とする請求項３に記載のカメラ。
【請求項５】
前記フレーズ合成手段は、前記位置取得部で前記位置情報が取得された場合には、当該位置情報に基づいて修飾された第１のフレーズを作成することを特徴とする請求項３に記載のカメラ。
【請求項６】
前記フレーズ合成手段は、前記時刻検出部で前記時刻情報が取得された場合には、当該時刻情報に基づいて修飾された第１のフレーズを作成することを特徴とする請求項３に記載のカメラ。
【請求項７】
前記フレーズ合成手段は、前記特徴検出手段で色の情報が取得された場合には、当該色の情報に基づいて修飾された第１のフレーズを作成することを特徴とする請求項３に記載のカメラ。
【請求項８】
前記撮影された画像が前記フレーズ合成手段で作成された第１のフレーズに合致した場合は、該第１のフレーズ及び当該画像を記録する記録手段を更に具備することを特徴とする請求項３に記載のカメラ。
【請求項９】
前記第１のフレーズを表示する表示手段を更に具備することを特徴とする請求項１に記載のカメラ。
【請求項１０】
前記表示手段は、前記撮影された画像と共に前記第１のフレーズを表示することを特徴とする請求項９に記載のカメラ。
【手続補正２】
【補正対象書類名】明細書
【補正対象項目名】発明の名称
【補正方法】変更
【補正の内容】
【発明の名称】カメラ
【手続補正３】
【補正対象書類名】明細書
【補正対象項目名】０００１
【補正方法】変更
【補正の内容】
【０００１】
本発明はカメラに関し、より詳細には、物語性のある写真鑑賞を可能とするカメラに関するものである。
【手続補正４】
【補正対象書類名】明細書
【補正対象項目名】０００７
【補正方法】変更
【補正の内容】
【０００７】
したがって、本発明は前記実情に鑑みてなされたものであり、その目的は、撮影をアドバイスするキーワードと、該キーワードに従った撮影の結果得られた画像の内容から、当該キーワードを修飾したコメントを合成して画像に表示することが可能なカメラを提供することである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
請求項１に記載の発明は、被写体を撮影する撮影部と、撮影者に対して次に撮影すべき被写体の候補に関する情報を抽出するテーマ抽出手段と、前記撮影部で撮影された画像の特徴を検出する特徴検出手段と、前記テーマ抽出手段及び特徴検出手段の出力に基づいて修飾された第１のフレーズを作成し、この作成された第１のフレーズを、前記撮影された画像と共に前記撮影者に告知するフレーズ合成手段と、を具備することを特徴とする。
【手続補正１６】
【補正対象書類名】明細書
【補正対象項目名】００１９
【補正方法】変更
【補正の内容】
【００１９】
請求項２に記載の発明は、請求項１に記載の発明に於いて、前記フレーズ合成手段は、前記告知された第１のフレーズと撮影時に得られた情報とに基づいて、前記第１のフレーズとは異なる第２のフレーズを作成して告知することを特徴とする。
【手続補正１７】
【補正対象書類名】明細書
【補正対象項目名】００２０
【補正方法】変更
【補正の内容】
【００２０】
請求項３に記載の発明は、請求項１に記載の発明に於いて、撮影時の位置情報を取得する位置取得部と、前記撮影時の時刻情報を取得する時刻検出部、とを更に具備し、前記テーマ抽出手段は、前記撮影時の位置情報及び時刻情報の少なくとも一方に基づいて、次に撮影すべき被写体の候補に関する情報を抽出することを特徴とする。
【手続補正１８】
【補正対象書類名】明細書
【補正対象項目名】００２１
【補正方法】変更
【補正の内容】
【００２１】
請求項４に記載の発明は、請求項３に記載の発明に於いて、前記位置取得部で取得された撮影時の位置情報及び前記時刻検出部で取得された撮影時の時刻情報の少なくとも一方に基づいて特定の情報を外部機器より取得するための通信部を更に具備することを特徴とする。
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】変更
【補正の内容】
【００２３】
請求項５に記載の発明は、請求項３に記載の発明に於いて、前記フレーズ合成手段は、前記位置取得部で前記位置情報が取得された場合には、当該位置情報に基づいて修飾された第１のフレーズを作成することを特徴とする。
【手続補正２１】
【補正対象書類名】明細書
【補正対象項目名】００２４
【補正方法】変更
【補正の内容】
【００２４】
請求項６に記載の発明は、請求項３に記載の発明に於いて、前記フレーズ合成手段は、前記時刻検出部で前記時刻情報が取得された場合には、当該時刻情報に基づいて修飾された第１のフレーズを作成することを特徴とする。
【手続補正２２】
【補正対象書類名】明細書
【補正対象項目名】００２５
【補正方法】変更
【補正の内容】
【００２５】
請求項７に記載の発明は、請求項３に記載の発明に於いて、前記フレーズ合成手段は、前記特徴検出手段で色の情報が取得された場合には、当該色の情報に基づいて修飾された第１のフレーズを作成することを特徴とする。
【手続補正２３】
【補正対象書類名】明細書
【補正対象項目名】００２６
【補正方法】変更
【補正の内容】
【００２６】
請求項８に記載の発明は、請求項３に記載の発明に於いて、前記撮影された画像が前記フレーズ合成手段で作成された第１のフレーズに合致した場合は、該第１のフレーズ及び当該画像を記録する記録手段を更に具備することを特徴とする。
【手続補正２４】
【補正対象書類名】明細書
【補正対象項目名】００２７
【補正方法】変更
【補正の内容】
【００２７】
請求項９に記載の発明は、請求項１に記載の発明に於いて、前記第１のフレーズを表示する表示手段を更に具備することを特徴とする。
【手続補正２５】
【補正対象書類名】明細書
【補正対象項目名】００２８
【補正方法】変更
【補正の内容】
【００２８】
請求項１０に記載の発明は、請求項９に記載の発明に於いて、前記表示手段は、前記撮影された画像と共に前記第１のフレーズを表示することを特徴とする。
【手続補正２６】
【補正対象書類名】明細書
【補正対象項目名】００２９
【補正方法】変更
【補正の内容】
【００２９】
本発明によれば、撮影をアドバイスするキーワードと、該キーワードに従った撮影の結果得られた画像の内容から、当該キーワードを修飾したコメントを合成して画像に表示することが可能なカメラを提供することができる。